(57)【要約】【課題】本発明は多機能の芝生ランプを開示した。【解決手段】本発明は多機能の芝生ランプを開示し、地面の中に位置した昇降チャンバを含み、前記昇降チャンバの中には上端が外部空間の中に位置した灯柱が設置され、地面の中には前記灯柱の昇降を制御できる伝動機構が設置され、前記伝動機構は伝動チャンバ及び前記伝動チャンバと連通した移動チャンバとを含み、前記移動チャンバは前記昇降チャンバに貫通されており、前記移動チャンバの中には芝生ランプは昼間の時地下に戻り、人々が芝生に開く活動を影響しなく、夜の時地面に戻って芝生を照らす同時に、夜ランニングする人に芝生の虫に騒がされない安全な休憩ところを提供する。【選択図】図１
2020181790.tif 000002
【特許請求の範囲】
【請求項１】
多機能の芝生ランプであって、地面の中に位置した昇降チャンバを含み、前記昇降チャンバの中には上端が外部空間の中に位置した灯柱が設置され、地面の中には前記灯柱の昇降を制御できる伝動機構が設置され、前記伝動機構は伝動チャンバ及び前記伝動チャンバと連通した移動チャンバとを含み、前記移動チャンバは前記昇降チャンバに貫通されており、前記移動チャンバの中には前記昇降チャンバを封閉できる移動板が設置され、前記移動板の中には下に開口した移動溝が設置され、前記伝動チャンバの中にはモーター及び前記モーターと伝動できるように連結された伝動軸が設置され、前記伝動軸には上端が前記移動溝の中に位置し且つ前記移動板を運動連動させることができる移動ブロックがねじ山により連結され、前記移動ブロックの上端には前記移動板と連結された移動撥条が設置され、前記伝動軸にはロープの巻き付いたリールが設置され、前記昇降チャンバの下端壁には位置制限柱及び前記灯柱を復帰させる昇降撥条が設置され、前記灯柱には押出機構が設置され、前記押出機構は前記灯柱の上端に固定されたランプと二本の連結柱とを含み、前記灯柱の上側には前記連結柱と連結された固定板が設置され、前記固定板の中には外部空間と連通した二つの並進チャンバが設置され、前記並進チャンバの中の下端壁には固定ブロックが設置され、前記並進チャンバの中には押し板及び前記押し板を復帰させる押し撥条が設置され、前記押し板の中には昇降溝が設置され、前記並進チャンバの中には前記固定ブロックに支持され且つ一端が前記昇降溝の中に位置した並進板が設置され、前記並進板の中には収納溝が設置され、前記収納溝の下端壁の中には下端壁の一部が前記並進チャンバを連通したスライドチャンバが設置され、前記スライドチャンバの中には並進板を支持できるスライド板が設置され、前記スライド板の一端には支持棒が固定され、前記支持棒の上端と前記固定ブロックの中にはいずれも上に開口した撥条溝が設置され、前記撥条溝の中には上端と前記並進板とが連結された圧縮撥条が設置され、前記固定板の中には上に開口した摩擦チャンバが設置され、前記摩擦チャンバの中には上端が外部空間に位置したＴ型板と、前記Ｔ型板を復帰させる伸縮撥条とが設置され、前記Ｔ型板の下端には下端が前記昇降溝の下端壁を貫通し且つ前記並進板と連結された二本のチェーンが設置され、装置の作用は昼間に前記伝動機構が前記灯柱を制御して前記昇降チャンバの中に戻し且つ前記移動板が前記昇降チャンバを封閉し、夜に前記灯柱を押し出し、且つ前記並進板を移出した後前記固定板をベンチとして使え、休憩のところを提供することを特徴とする多機能の芝生ランプ。
【請求項２】
前記伝動機構は右に開口した従動溝を含み、前記従動溝の中には一端が前記昇降チャンバの中に位置した従動ブロックと、前記従動ブロックを復帰させる従動撥条とが設置され、前記従動溝の下端壁の中には右に開口した摩擦溝が設置され、前記摩擦溝の中には摩擦ブロックと、前記摩擦ブロックを復帰させる復帰撥条とが設置され、前記摩擦ブロックの中には上に開口した制限溝が設置され、前記従動ブロックの中には下に開口した押出溝が設置され、前記押出溝の中には下端が前記制限溝の中に位置した台形ブロックと、前記台形ブロックを復帰させることができる押出撥条とが設置され、前記灯柱の下端には前記摩擦ブロックの左端面と連結された細い縄が設置され、前記伝動機構の作用は前記灯柱の昇降及び前記昇降チャンバの開閉を制御することを特徴とする請求項１に記載の多機能の芝生ランプ。
【請求項３】
前記押出機構には下に開口し且つ前記位置制限柱の上端を収納する従動チャンバが含まれ、前記従動チャンバの中には従動板及び前記従動板を復帰させる二つの連結撥条が設置され、前記従動チャンバの上端壁には下に開口した連結溝が設置され、前記従動板の上端には上端が前記連結溝の中に位置した台形柱が設置され、前記連結溝の両側端壁の中にはスライド溝が設置され、前記支持棒の下端が前記連結柱を貫通し且つ前記スライド溝の中には台形棒が固定され、左側の前記台形棒の一端が前記連結溝の中に位置し、左側の前記スライド溝の中には前記台形棒を復帰させる引っ張り撥条が設置され、前記ロープが前記位置制限柱と前記従動チャンバとを貫通し且つ前記連結溝の上端壁と連結され、前記押出機構の作用は需要によって前記並進板を押し出すことを特徴とする請求項１に記載の多機能の芝生ランプ。
【発明の詳細な説明】
【技術分野】
【０００１】
本発明はランプの分野を取り上げて、具体的には多機能の芝生ランプである。
【背景技術】
【０００２】
現在の夜に、芝生の中の虫はすごく活躍しており、人が芝生に直接に休む時、虫に騒がされ、休憩に不利であり、且つ現在の芝生のランプは昼間に照明しなく、芝生に立つと人々の動きを影響しやすい。
【先行技術文献】
【特許文献】
【０００３】
【特許文献１】中国特許出願公開第１０７２４６５７６号明細書
【発明の概要】
【発明が解決しようとする課題】
【０００４】
本発明の目的は多機能の芝生ランプを提供し、上記背景技術に提出された問題を解決できる。
【課題を解決するための手段】
【０００５】
本発明の多機能の芝生ランプは、地面の中に位置した昇降チャンバを含み、前記昇降チャンバの中には上端が外部空間の中に位置した灯柱が設置され、地面の中には前記灯柱の昇降を制御できる伝動機構が設置され、前記伝動機構は伝動チャンバ及び前記伝動チャンバと連通した移動チャンバとを含み、前記移動チャンバは前記昇降チャンバに貫通されており、前記移動チャンバの中には前記昇降チャンバを封閉できる移動板が設置され、前記移動板の中には下に開口した移動溝が設置され、前記伝動チャンバの中にはモーター及び前記モーターと伝動できるように連結された伝動軸が設置され、前記伝動軸には上端が前記移動溝の中に位置し且つ前記移動板を運動連動させることができる移動ブロックがねじ山により連結され、前記移動ブロックの上端には前記移動板と連結された移動撥条が設置され、前記伝動軸にはロープの巻き付いたリールが設置され、前記昇降チャンバの下端壁には位置制限柱及び前記灯柱を復帰させる昇降撥条が設置され、前記灯柱には押出機構が設置され、前記押出機構は前記灯柱の上端に固定されたランプと二本の連結柱とを含み、前記灯柱の上側には前記連結柱と連結された固定板が設置され、前記固定板の中には外部空間と連通した二つの並進チャンバが設置され、前記並進チャンバの中の下端壁には固定ブロックが設置され、前記並進チャンバの中には押し板及び前記押し板を復帰させる押し撥条が設置され、前記押し板の中には昇降溝が設置され、前記並進チャンバの中には前記固定ブロックに支持され且つ一端が前記昇降溝の中に位置した並進板が設置され、前記並進板の中には収納溝が設置され、前記収納溝の下端壁の中には下端壁の一部が前記並進チャンバを連通したスライドチャンバが設置され、前記スライドチャンバの中には並進板を支持できるスライド板が設置され、前記スライド板の一端には支持棒が固定され、前記支持棒の上端と前記固定ブロックの中にはいずれも上に開口した撥条溝が設置され、前記撥条溝の中には上端と前記並進板とが連結された圧縮撥条が設置され、前記固定板の中には上に開口した摩擦チャンバが設置され、前記摩擦チャンバの中には上端が外部空間に位置したＴ型板と、前記Ｔ型板を復帰させる伸縮撥条とが設置され、前記Ｔ型板の下端には下端が前記昇降溝の下端壁を貫通し且つ前記並進板と連結された二本のチェーンが設置され、装置の作用は昼間に前記伝動機構が前記灯柱を制御して前記昇降チャンバの中に戻し且つ前記移動板が前記昇降チャンバを封閉し、夜に前記灯柱を押し出し、且つ前記並進板を移出した後前記固定板をベンチとして使え、休憩のところを提供する。
【０００６】
更なる技術方案、前記伝動機構は右に開口した従動溝を含み、前記従動溝の中には一端が前記昇降チャンバの中に位置した従動ブロックと、前記従動ブロックを復帰させる従動撥条とが設置され、前記従動溝の下端壁の中には右に開口した摩擦溝が設置され、前記摩擦溝の中には摩擦ブロックと、前記摩擦ブロックを復帰させる復帰撥条とが設置され、前記摩擦ブロックの中には上に開口した制限溝が設置され、前記従動ブロックの中には下に開口した押出溝が設置され、前記押出溝の中には下端が前記制限溝の中に位置した台形ブロックと、前記台形ブロックを復帰させることができる押出撥条とが設置され、前記灯柱の下端には前記摩擦ブロックの左端面と連結された細い縄が設置され、前記伝動機構の作用は前記灯柱の昇降及び前記昇降チャンバの開閉を制御する。
【０００７】
更なる技術方案、前記押出機構には下に開口し且つ前記位置制限柱の上端を収納する従動チャンバが含まれ、前記従動チャンバの中には従動板及び前記従動板を復帰させる二つの連結撥条が設置され、前記従動チャンバの上端壁には下に開口した連結溝が設置され、前記従動板の上端には上端が前記連結溝の中に位置した台形柱が設置され、前記連結溝の両側端壁の中にはスライド溝が設置され、前記支持棒の下端が前記連結柱を貫通し且つ前記スライド溝の中には台形棒が固定され、左側の前記台形棒の一端が前記連結溝の中に位置し、左側の前記スライド溝の中には前記台形棒を復帰させる引っ張り撥条が設置され、前記ロープが前記位置制限柱と前記従動チャンバとを貫通し且つ前記連結溝の上端壁と連結され、前記押出機構の作用は需要によって前記並進板を押し出す。
【発明の効果】
【０００８】
本発明の有益な効果は：本装置は構造が簡単で、操作が便利で、芝生ランプは昼間の時地下に戻り、人々が芝生に開く活動を影響しなく、夜の時地面に戻って芝生を照らす同時に、夜ランニングする人に芝生の虫に騒がされない安全な休憩ところを提供する。
【図面の簡単な説明】
【０００９】
発明実施例或いは現有技術の技術プランをもっとはっきり説明できるため、以下は実施例或いは現有技術の説明に使われる付図を簡単に紹介し、明らかに、以下述べる付図はただ発明の実施例であり、本分野の普通の技術人員にとって、創造的な労働を払わなくても、この付図によって他の付図を得られる。以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１０】
【図１】図１は本発明の多機能の芝生ランプの全体断面の正面構造模式図
【図２】図２は本発明の多機能の芝生ランプの伝動機構の局部断面の正面拡大構造模式図
【図３】図３は本発明の多機能の芝生ランプの摩擦チャンバの構造の局部断面の正面拡大構造模式図
【図４】図４は本発明の多機能の芝生ランプの押出機構の局部断面の正面拡大模式図
【図５】図５は本発明の多機能の芝生ランプの並進板の上面拡大模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の多機能の芝生ランプは、地面の中に位置した昇降チャンバ２を含み、前記昇降チャンバ２の中には上端が外部空間の中に位置した灯柱２６が設置され、地面の中には前記灯柱２６の昇降を制御できる伝動機構５１が設置され、前記伝動機構５１は伝動チャンバ７及び前記伝動チャンバ７と連通した移動チャンバ１２とを含み、前記移動チャンバ１２は前記昇降チャンバ２に貫通されており、前記移動チャンバ１２の中には前記昇降チャンバ２を封閉できる移動板１０が設置され、前記移動板１０の中には下に開口した移動溝８が設置され、前記伝動チャンバ７の中にはモーター４及び前記モーター４と伝動できるように連結された伝動軸９が設置され、前記伝動軸９には上端が前記移動溝８の中に位置し且つ前記移動板１０を運動連動させることができる移動ブロック６がねじ山により連結され、前記移動ブロック６の上端には前記移動板１０と連結された移動撥条５が設置され、前記伝動軸９にはロープ３の巻き付いたリール１１が設置され、前記昇降チャンバ２の下端壁には位置制限柱１及び前記灯柱２６を復帰させる昇降撥条３３が設置され、前記灯柱２６には押出機構５２が設置され、前記押出機構５２は前記灯柱２６の上端に固定されたランプ２０と二本の連結柱２１とを含み、前記灯柱２６の上側には前記連結柱２１と連結された固定板１８が設置され、前記固定板１８の中には外部空間と連通した二つの並進チャンバ３９が設置され、前記並進チャンバ３９の中の下端壁には固定ブロック４８が設置され、前記並進チャンバ３９の中には押し板４５及び前記押し板４５を復帰させる押し撥条５３が設置され、前記押し板４５の中には昇降溝４２が設置され、前記並進チャンバ３９の中には前記固定ブロック４８に支持され且つ一端が前記昇降溝４２の中に位置した並進板４３が設置され、前記並進板４３の中には収納溝５０が設置され、前記収納溝５０の下端壁の中には下端壁の一部が前記並進チャンバ３９を連通したスライドチャンバ４４が設置され、前記スライドチャンバ４４の中には並進板４３を支持できるスライド板４９が設置され、前記スライド板４９の一端には支持棒１７が固定され、前記支持棒１７の上端と前記固定ブロック４８の中にはいずれも上に開口した撥条溝４７が設置され、前記撥条溝４７の中には上端と前記並進板４３とが連結された圧縮撥条４６が設置され、前記固定板１８の中には上に開口した摩擦チャンバ４０が設置され、前記摩擦チャンバ４０の中には上端が外部空間に位置したＴ型板１９と、前記Ｔ型板１９を復帰させる伸縮撥条４１とが設置され、前記Ｔ型板１９の下端には下端が前記昇降溝４２の下端壁を貫通し且つ前記並進板４３と連結された二本のチェーン３８が設置され、装置の作用は昼間に前記伝動機構５１が前記灯柱２６を制御して前記昇降チャンバ２の中に戻し且つ前記移動板１０が前記昇降チャンバ２を封閉し、夜に前記灯柱２６を押し出し、且つ前記並進板４３を移出した後前記固定板１８をベンチとして使え、休憩のところを提供する。
【００１３】
有益なように、前記伝動機構５１は右に開口した従動溝５４を含み、前記従動溝５４の中には一端が前記昇降チャンバ２の中に位置した従動ブロック２７と、前記従動ブロック２７を復帰させる従動撥条２８とが設置され、前記従動溝５４の下端壁の中には右に開口した摩擦溝３０が設置され、前記摩擦溝３０の中には摩擦ブロック３２と、前記摩擦ブロック３２を復帰させる復帰撥条２９とが設置され、前記摩擦ブロック３２の中には上に開口した制限溝３４が設置され、前記従動ブロック２７の中には下に開口した押出溝３６が設置され、前記押出溝３６の中には下端が前記制限溝３４の中に位置した台形ブロック３５と、前記台形ブロック３５を復帰させることができる押出撥条３７とが設置され、前記灯柱２６の下端には前記摩擦ブロック３２の左端面と連結された細い縄３１が設置され、前記伝動機構５１の作用は前記灯柱２６の昇降及び前記昇降チャンバ２の開閉を制御する。
【００１４】
有益なように、前記押出機構５２には下に開口し且つ前記位置制限柱１の上端を収納する従動チャンバ２５が含まれ、前記従動チャンバ２５の中には従動板２４及び前記従動板２４を復帰させる二つの連結撥条２３が設置され、前記従動チャンバ２５の上端壁には下に開口した連結溝１６が設置され、前記従動板２４の上端には上端が前記連結溝１６の中に位置した台形柱１３が設置され、前記連結溝１６の両側端壁の中にはスライド溝１５が設置され、前記支持棒１７の下端が前記連結柱２１を貫通し且つ前記スライド溝１５の中には台形棒１４が固定され、左側の前記台形棒１４の一端が前記連結溝１６の中に位置し、左側の前記スライド溝１５の中には前記台形棒１４を復帰させる引っ張り撥条２２が設置され、前記ロープ３が前記位置制限柱１と前記従動チャンバ２５とを貫通し且つ前記連結溝１６の上端壁と連結され、前記押出機構５２の作用は需要によって前記並進板４３を押し出す。
【００１５】
以下、付図１−５及び上記の本願発明の多機能の芝生ランプの具体的な構造を参考してその使い方を詳しく説明する：
【００１６】
昼間の時、モーター４が作動して伝動軸９を制御して回転させ、リール１１が縄を巻き、それにより灯柱２６が昇降チャンバ２の中にに戻り、移動ブロック６が左に運動し、移動撥条５が張り、位置制限柱１が従動板２４と台形柱１３とを上に運動させ、左側の台形棒１４を左に運動させ、それにより左側の支持棒１７を左に運動させ、それにより左側の並進板４３を左に運動させて従動ブロック２７を従動溝５４の中に戻し、それにより台形ブロック３５を押出溝３６の中に戻し、復帰撥条２９が摩擦ブロック３２を押し出して灯柱２６の左端面とを接触させ、この時Ｔ型板１９の上端面が移動板１０の下端面の下側に位置し、それにより移動撥条５が復帰して移動板１０を左に運動させて昇降チャンバ２を封閉する。
【００１７】
夜の時、モーター４が反方向に回転し、ロープ３が緩まり且つ移動ブロック６が右に運動して移動板１０を復帰させ、移動板１０が復帰した後、摩擦ブロック３２の摩擦抗力によって、昇降撥条３３が灯柱２６をゆっくり上に運動連動させ、灯柱２６が復帰した後、従動撥条２８が従動ブロック２７を復帰させ、細い縄３１がピンと張って摩擦ブロック３２を復帰させ、台形ブロック３５が改めて制限溝３４の中に入り、ランプ２０を灯して芝生を照らす。
【００１８】
夜ランニングする人が芝生で休憩する時、Ｔ型板１９を押し、チェーン３８を緩め、並進板４３と押し板４５とが押し撥条５３によって一端が外部空間に位置し、収納溝５０が外部空間に位置し、且つスライド板４９が並進板４３の上への運動を制限できない時、圧縮撥条４６が並進板４３を上に押し出し、並進板４３の上端面とＴ型板１９の上端面とを同じ水平面にさせ、Ｔ型板１９の上端面の面積を広げるということになり、人々の休憩に便利を与え、Ｔ型板を押さない時、伸縮撥条４１がＴ型板１９をゆっくり復帰させ、チェーン３８の引っ張りによって並進板４３を下げてから並進させ、並進板４３を復帰させる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020181790.tif 000003
【図２】
2020181790.tif 000004
【図３】
2020181790.tif 000005
【図４】
2020181790.tif 000006
【図５】
2020181790.tif 000007
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
多機能の芝生ランプであって、地面の中に位置した昇降チャンバを含み、前記昇降チャンバの中には上端が外部空間の中に位置した灯柱が設置され、地面の中には前記灯柱の昇降を制御できる伝動機構が設置され、前記伝動機構は伝動チャンバ及び前記伝動チャンバと連通した移動チャンバとを含み、前記移動チャンバは前記昇降チャンバに貫通されており、前記移動チャンバの中には前記昇降チャンバを封閉できる移動板が設置され、前記移動板の中には下に開口した移動溝が設置され、前記伝動チャンバの中にはモーター及び前記モーターと伝動できるように連結された伝動軸が設置され、前記伝動軸には上端が前記移動溝の中に位置し且つ前記移動板を運動連動させることができる移動ブロックがねじ山により連結され、前記移動ブロックの上端には前記移動板と連結された移動撥条が設置され、前記伝動軸にはロープの巻き付いたリールが設置され、前記昇降チャンバの下端壁には位置制限柱及び前記灯柱を復帰させる昇降撥条が設置され、前記灯柱には押出機構が設置され、前記押出機構は前記灯柱の上端に固定されたランプと二本の連結柱とを含み、前記灯柱の上側には前記連結柱と連結された固定板が設置され、前記固定板の中には外部空間と連通した二つの並進チャンバが設置され、前記並進チャンバの中の下端壁には固定ブロックが設置され、前記並進チャンバの中には押し板及び前記押し板を復帰させる押し撥条が設置され、前記押し板の中には昇降溝が設置され、前記並進チャンバの中には前記固定ブロックに支持され且つ一端が前記昇降溝の中に位置した並進板が設置され、前記並進板の中には収納溝が設置され、前記収納溝の下端壁の中には下端壁の一部が前記並進チャンバを連通したスライドチャンバが設置され、前記スライドチャンバの中には並進板を支持できるスライド板が設置され、前記スライド板の一端には支持棒が固定され、前記支持棒の上端と前記固定ブロックの中にはいずれも上に開口した撥条溝が設置され、前記撥条溝の中には上端と前記並進板とが連結された圧縮撥条が設置され、前記固定板の中には上に開口した摩擦チャンバが設置され、前記摩擦チャンバの中には上端が外部空間に位置したＴ型板と、前記Ｔ型板を復帰させる伸縮撥条とが設置され、前記Ｔ型板の下端には下端が前記昇降溝の下端壁を貫通し且つ前記並進板と連結された二本のチェーンが設置され、装置の作用は昼間に前記伝動機構が前記灯柱を制御して前記昇降チャンバの中に戻し且つ前記移動板が前記昇降チャンバを封閉することを特徴とする多機能の芝生ランプ。
【請求項２】
前記伝動機構は右に開口した従動溝を含み、前記従動溝の中には一端が前記昇降チャンバの中に位置した従動ブロックと、前記従動ブロックを復帰させる従動撥条とが設置され、前記従動溝の下端壁の中には右に開口した摩擦溝が設置され、前記摩擦溝の中には摩擦ブロックと、前記摩擦ブロックを復帰させる復帰撥条とが設置され、前記摩擦ブロックの中には上に開口した制限溝が設置され、前記従動ブロックの中には下に開口した押出溝が設置され、前記押出溝の中には下端が前記制限溝の中に位置した台形ブロックと、前記台形ブロックを復帰させることができる押出撥条とが設置され、前記灯柱の下端には前記摩擦ブロックの左端面と連結された細い縄が設置され、前記伝動機構の作用は前記灯柱の昇降及び前記昇降チャンバの開閉を制御することを特徴とする請求項１に記載の多機能の芝生ランプ。
【請求項３】
前記押出機構には下に開口し且つ前記位置制限柱の上端を収納する従動チャンバが含まれ、前記従動チャンバの中には従動板及び前記従動板を復帰させる二つの連結撥条が設置され、前記従動チャンバの上端壁には下に開口した連結溝が設置され、前記従動板の上端には上端が前記連結溝の中に位置した台形柱が設置され、前記連結溝の両側端壁の中にはスライド溝が設置され、前記支持棒の下端が前記連結柱を貫通し且つ前記スライド溝の中には台形棒が固定され、左側の前記台形棒の一端が前記連結溝の中に位置し、左側の前記スライド溝の中には前記台形棒を復帰させる引っ張り撥条が設置され、前記ロープが前記位置制限柱と前記従動チャンバとを貫通し且つ前記連結溝の上端壁と連結され、前記押出機構の作用は需要によって前記並進板を押し出すことを特徴とする請求項１に記載の多機能の芝生ランプ。
【手続補正２】
【補正対象書類名】明細書
【補正対象項目名】全文
【補正方法】変更
【補正の内容】
【発明の詳細な説明】
【技術分野】
【０００１】
本発明はランプの分野を取り上げて、具体的には多機能の芝生ランプである。
【背景技術】
【０００２】
現在の夜に、芝生の中の虫はすごく活躍しており、人が芝生に直接に休む時、虫に騒がされ、休憩に不利であり、且つ現在の芝生のランプは昼間に照明しなく、芝生に立つと人々の動きを影響しやすい。
【先行技術文献】
【特許文献】
【０００３】
【特許文献１】中国特許出願公開第１０７２４６５７６号明細書
【発明の概要】
【発明が解決しようとする課題】
【０００４】
本発明の目的は多機能の芝生ランプを提供し、上記背景技術に提出された問題を解決できる。
【課題を解決するための手段】
【０００５】
本発明の多機能の芝生ランプは、地面の中に位置した昇降チャンバを含み、前記昇降チャンバの中には上端が外部空間の中に位置した灯柱が設置され、地面の中には前記灯柱の昇降を制御できる伝動機構が設置され、前記伝動機構は伝動チャンバ及び前記伝動チャンバと連通した移動チャンバとを含み、前記移動チャンバは前記昇降チャンバに貫通されており、前記移動チャンバの中には前記昇降チャンバを封閉できる移動板が設置され、前記移動板の中には下に開口した移動溝が設置され、前記伝動チャンバの中にはモーター及び前記モーターと伝動できるように連結された伝動軸が設置され、前記伝動軸には上端が前記移動溝の中に位置し且つ前記移動板を運動連動させることができる移動ブロックがねじ山により連結され、前記移動ブロックの上端には前記移動板と連結された移動撥条が設置され、前記伝動軸にはロープの巻き付いたリールが設置され、前記昇降チャンバの下端壁には位置制限柱及び前記灯柱を復帰させる昇降撥条が設置され、前記灯柱には押出機構が設置され、前記押出機構は前記灯柱の上端に固定されたランプと二本の連結柱とを含み、前記灯柱の上側には前記連結柱と連結された固定板が設置され、前記固定板の中には外部空間と連通した二つの並進チャンバが設置され、前記並進チャンバの中の下端壁には固定ブロックが設置され、前記並進チャンバの中には押し板及び前記押し板を復帰させる押し撥条が設置され、前記押し板の中には昇降溝が設置され、前記並進チャンバの中には前記固定ブロックに支持され且つ一端が前記昇降溝の中に位置した並進板が設置され、前記並進板の中には収納溝が設置され、前記収納溝の下端壁の中には下端壁の一部が前記並進チャンバを連通したスライドチャンバが設置され、前記スライドチャンバの中には並進板を支持できるスライド板が設置され、前記スライド板の一端には支持棒が固定され、前記支持棒の上端と前記固定ブロックの中にはいずれも上に開口した撥条溝が設置され、前記撥条溝の中には上端と前記並進板とが連結された圧縮撥条が設置され、前記固定板の中には上に開口した摩擦チャンバが設置され、前記摩擦チャンバの中には上端が外部空間に位置したＴ型板と、前記Ｔ型板を復帰させる伸縮撥条とが設置され、前記Ｔ型板の下端には下端が前記昇降溝の下端壁を貫通し且つ前記並進板と連結された二本のチェーンが設置され、装置の作用は昼間に前記伝動機構が前記灯柱を制御して前記昇降チャンバの中に戻し且つ前記移動板が前記昇降チャンバを封閉する。
【０００６】
更なる技術方案、前記伝動機構は右に開口した従動溝を含み、前記従動溝の中には一端が前記昇降チャンバの中に位置した従動ブロックと、前記従動ブロックを復帰させる従動撥条とが設置され、前記従動溝の下端壁の中には右に開口した摩擦溝が設置され、前記摩擦溝の中には摩擦ブロックと、前記摩擦ブロックを復帰させる復帰撥条とが設置され、前記摩擦ブロックの中には上に開口した制限溝が設置され、前記従動ブロックの中には下に開口した押出溝が設置され、前記押出溝の中には下端が前記制限溝の中に位置した台形ブロックと、前記台形ブロックを復帰させることができる押出撥条とが設置され、前記灯柱の下端には前記摩擦ブロックの左端面と連結された細い縄が設置され、前記伝動機構の作用は前記灯柱の昇降及び前記昇降チャンバの開閉を制御する。
【０００７】
更なる技術方案、前記押出機構には下に開口し且つ前記位置制限柱の上端を収納する従動チャンバが含まれ、前記従動チャンバの中には従動板及び前記従動板を復帰させる二つの連結撥条が設置され、前記従動チャンバの上端壁には下に開口した連結溝が設置され、前記従動板の上端には上端が前記連結溝の中に位置した台形柱が設置され、前記連結溝の両側端壁の中にはスライド溝が設置され、前記支持棒の下端が前記連結柱を貫通し且つ前記スライド溝の中には台形棒が固定され、左側の前記台形棒の一端が前記連結溝の中に位置し、左側の前記スライド溝の中には前記台形棒を復帰させる引っ張り撥条が設置され、前記ロープが前記位置制限柱と前記従動チャンバとを貫通し且つ前記連結溝の上端壁と連結され、前記押出機構の作用は需要によって前記並進板を押し出す。
【発明の効果】
【０００８】
本発明の有益な効果は：本装置は構造が簡単で、操作が便利で、芝生ランプは昼間の時地下に戻り、人々が芝生に開く活動を影響しなく、夜の時地面に戻って芝生を照らす同時に、夜ランニングする人に芝生の虫に騒がされない安全な休憩ところを提供する。
【図面の簡単な説明】
【０００９】
発明実施例或いは現有技術の技術プランをもっとはっきり説明できるため、以下は実施例或いは現有技術の説明に使われる付図を簡単に紹介し、明らかに、以下述べる付図はただ発明の実施例であり、本分野の普通の技術人員にとって、創造的な労働を払わなくても、この付図によって他の付図を得られる。以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１０】
【図１】図１は本発明の多機能の芝生ランプの全体断面の正面構造模式図
【図２】図２は本発明の多機能の芝生ランプの伝動機構の局部断面の正面拡大構造模式図
【図３】図３は本発明の多機能の芝生ランプの摩擦チャンバの構造の局部断面の正面拡大構造模式図
【図４】図４は本発明の多機能の芝生ランプの押出機構の局部断面の正面拡大模式図
【図５】図５は本発明の多機能の芝生ランプの並進板の上面拡大模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の多機能の芝生ランプは、地面の中に位置した昇降チャンバ２を含み、前記昇降チャンバ２の中には上端が外部空間の中に位置した灯柱２６が設置され、地面の中には前記灯柱２６の昇降を制御できる伝動機構５１が設置され、前記伝動機構５１は伝動チャンバ７及び前記伝動チャンバ７と連通した移動チャンバ１２とを含み、前記移動チャンバ１２は前記昇降チャンバ２に貫通されており、前記移動チャンバ１２の中には前記昇降チャンバ２を封閉できる移動板１０が設置され、前記移動板１０の中には下に開口した移動溝８が設置され、前記伝動チャンバ７の中にはモーター４及び前記モーター４と伝動できるように連結された伝動軸９が設置され、前記伝動軸９には上端が前記移動溝８の中に位置し且つ前記移動板１０を運動連動させることができる移動ブロック６がねじ山により連結され、前記移動ブロック６の上端には前記移動板１０と連結された移動撥条５が設置され、前記伝動軸９にはロープ３の巻き付いたリール１１が設置され、前記昇降チャンバ２の下端壁には位置制限柱１及び前記灯柱２６を復帰させる昇降撥条３３が設置され、前記灯柱２６には押出機構５２が設置され、前記押出機構５２は前記灯柱２６の上端に固定されたランプ２０と二本の連結柱２１とを含み、前記灯柱２６の上側には前記連結柱２１と連結された固定板１８が設置され、前記固定板１８の中には外部空間と連通した二つの並進チャンバ３９が設置され、前記並進チャンバ３９の中の下端壁には固定ブロック４８が設置され、前記並進チャンバ３９の中には押し板４５及び前記押し板４５を復帰させる押し撥条５３が設置され、前記押し板４５の中には昇降溝４２が設置され、前記並進チャンバ３９の中には前記固定ブロック４８に支持され且つ一端が前記昇降溝４２の中に位置した並進板４３が設置され、前記並進板４３の中には収納溝５０が設置され、前記収納溝５０の下端壁の中には下端壁の一部が前記並進チャンバ３９を連通したスライドチャンバ４４が設置され、前記スライドチャンバ４４の中には並進板４３を支持できるスライド板４９が設置され、前記スライド板４９の一端には支持棒１７が固定され、前記支持棒１７の上端と前記固定ブロック４８の中にはいずれも上に開口した撥条溝４７が設置され、前記撥条溝４７の中には上端と前記並進板４３とが連結された圧縮撥条４６が設置され、前記固定板１８の中には上に開口した摩擦チャンバ４０が設置され、前記摩擦チャンバ４０の中には上端が外部空間に位置したＴ型板１９と、前記Ｔ型板１９を復帰させる伸縮撥条４１とが設置され、前記Ｔ型板１９の下端には下端が前記昇降溝４２の下端壁を貫通し且つ前記並進板４３と連結された二本のチェーン３８が設置され、装置の作用は昼間に前記伝動機構５１が前記灯柱２６を制御して前記昇降チャンバ２の中に戻し且つ前記移動板１０が前記昇降チャンバ２を封閉する。
【００１３】
有益なように、前記伝動機構５１は右に開口した従動溝５４を含み、前記従動溝５４の中には一端が前記昇降チャンバ２の中に位置した従動ブロック２７と、前記従動ブロック２７を復帰させる従動撥条２８とが設置され、前記従動溝５４の下端壁の中には右に開口した摩擦溝３０が設置され、前記摩擦溝３０の中には摩擦ブロック３２と、前記摩擦ブロック３２を復帰させる復帰撥条２９とが設置され、前記摩擦ブロック３２の中には上に開口した制限溝３４が設置され、前記従動ブロック２７の中には下に開口した押出溝３６が設置され、前記押出溝３６の中には下端が前記制限溝３４の中に位置した台形ブロック３５と、前記台形ブロック３５を復帰させることができる押出撥条３７とが設置され、前記灯柱２６の下端には前記摩擦ブロック３２の左端面と連結された細い縄３１が設置され、前記伝動機構５１の作用は前記灯柱２６の昇降及び前記昇降チャンバ２の開閉を制御する。
【００１４】
有益なように、前記押出機構５２には下に開口し且つ前記位置制限柱１の上端を収納する従動チャンバ２５が含まれ、前記従動チャンバ２５の中には従動板２４及び前記従動板２４を復帰させる二つの連結撥条２３が設置され、前記従動チャンバ２５の上端壁には下に開口した連結溝１６が設置され、前記従動板２４の上端には上端が前記連結溝１６の中に位置した台形柱１３が設置され、前記連結溝１６の両側端壁の中にはスライド溝１５が設置され、前記支持棒１７の下端が前記連結柱２１を貫通し且つ前記スライド溝１５の中には台形棒１４が固定され、左側の前記台形棒１４の一端が前記連結溝１６の中に位置し、左側の前記スライド溝１５の中には前記台形棒１４を復帰させる引っ張り撥条２２が設置され、前記ロープ３が前記位置制限柱１と前記従動チャンバ２５とを貫通し且つ前記連結溝１６の上端壁と連結され、前記押出機構５２の作用は需要によって前記並進板４３を押し出す。
【００１５】
以下、付図１−５及び上記の本願発明の多機能の芝生ランプの具体的な構造を参考してその使い方を詳しく説明する：
【００１６】
昼間の時、モーター４が作動して伝動軸９を制御して回転させ、リール１１が縄を巻き、それにより灯柱２６が昇降チャンバ２の中にに戻り、移動ブロック６が左に運動し、移動撥条５が張り、位置制限柱１が従動板２４と台形柱１３とを上に運動させ、左側の台形棒１４を左に運動させ、それにより左側の支持棒１７を左に運動させ、それにより左側の並進板４３を左に運動させて従動ブロック２７を従動溝５４の中に戻し、それにより台形ブロック３５を押出溝３６の中に戻し、復帰撥条２９が摩擦ブロック３２を押し出して灯柱２６の左端面とを接触させ、この時Ｔ型板１９の上端面が移動板１０の下端面の下側に位置し、それにより移動撥条５が復帰して移動板１０を左に運動させて昇降チャンバ２を封閉する。
【００１７】
夜の時、モーター４が反方向に回転し、ロープ３が緩まり且つ移動ブロック６が右に運動して移動板１０を復帰させ、移動板１０が復帰した後、摩擦ブロック３２の摩擦抗力によって、昇降撥条３３が灯柱２６をゆっくり上に運動連動させ、灯柱２６が復帰した後、従動撥条２８が従動ブロック２７を復帰させ、細い縄３１がピンと張って摩擦ブロック３２を復帰させ、台形ブロック３５が改めて制限溝３４の中に入り、ランプ２０を灯して芝生を照らす。
【００１８】
夜ランニングする人が芝生で休憩する時、Ｔ型板１９を押し、チェーン３８を緩め、並進板４３と押し板４５とが押し撥条５３によって一端が外部空間に位置し、収納溝５０が外部空間に位置し、且つスライド板４９が並進板４３の上への運動を制限できない時、圧縮撥条４６が並進板４３を上に押し出し、並進板４３の上端面とＴ型板１９の上端面とを同じ水平面にさせ、Ｔ型板１９の上端面の面積を広げるということになり、人々の休憩に便利を与え、Ｔ型板を押さない時、伸縮撥条４１がＴ型板１９をゆっくり復帰させ、チェーン３８の引っ張りによって並進板４３を下げてから並進させ、並進板４３を復帰させる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。